(57)【要約】【課題】集塵された塵埃全体の殺菌、分解脱臭が充分に行える電気掃除機を提供することを目的とする。【解決手段】塵埃を吸引する電動送風機７と、吸引された塵埃を集める集塵室１５と、集塵室１５の内部に設置した、少なくともオゾン発生手段３０を有する脱臭除菌装置３２とを備えたもので、オゾン発生で、集塵された塵埃全体の殺菌、分解脱臭が充分に行え、衛生的でかつ臭いの少ない電気掃除機が実現できる。【選択図】　図２
2004113469.tif 000002
【特許請求の範囲】
【請求項１】
塵埃を吸引する電動送風機と、吸引された塵埃を集める集塵室と、集塵室の内部に設置した、少なくともオゾン発生手段を有する脱臭除菌装置とを備えた電気掃除機。
【請求項２】
集塵室が遠心力により塵埃を分離する遠心分離部と塵埃を蓄える蓄積部を有する請求項１に記載の電気掃除機。
【請求項３】
集塵室には塵埃を分離し貯蔵するゴミ袋を設置した請求項１に記載の電気掃除機。
【請求項４】
脱臭除菌装置はゴミ袋の内外の少なくとも一方側に配置した請求項３に記載の電気掃除機。
【請求項５】
脱臭除菌装置は掃除停止時にも動作可能とした請求項１〜４のいずれか１項に記載の電気掃除機。
【請求項６】
掃除機本体の排気口にオゾン除去フィルタを設置した請求項１〜５のいずれか１項に記載の電気掃除機。
【請求項７】
電動送風機の排気を集塵室に還流するための還流路を有し、この還流路にオゾン除去フィルタを設置した請求項１〜６のいずれか１項に記載の電気掃除機。
【請求項８】
脱臭除菌装置はオゾンレスの殺菌紫外線ランプを有し、掃除運転中はこのオゾンレスの殺菌紫外線ランプのみを動作させる請求項１〜５のいずれか１項に記載の電気掃除機。
【請求項９】
脱臭除菌装置を間欠運転するタイマ手段を有する請求項１〜８のいずれか１項に記載の電気掃除機。
【発明の詳細な説明】
【０００１】
【発明の属する技術分野】
本発明は、一般家庭等で使用される電気掃除機に関するものである。
【０００２】
【従来の技術】
従来、電気掃除機では、集塵した塵埃にカビなどが発生し、悪臭を放つ場合がある。この対応のために、塵埃を収容したゴミ袋内に紫外線ランプを設置したものが知られている（例えば、特許文献１参照）。
【０００３】
【特許文献１】
特開平１１−２４４２０６号公報
【０００４】
【発明が解決しようとする課題】
しかしながら、前記従来の電気掃除機では、単なる紫外線ランプの照射だけでは、菌の繁殖を抑えるには不充分であり、また脱臭効果に関しても臭いの元を分解する効果はなく、集塵された塵埃全体の殺菌、分解脱臭は充分でないという課題を有している。
【０００５】
本発明は、前記従来の課題を解決するもので、集塵された塵埃全体の殺菌、分解脱臭を充分に行え、衛生的でかつ臭いの少ない電気掃除機を提供することを目的とするものである。
【０００６】
【課題を解決するための手段】
前記目的を達成するために、本発明の電気掃除機は、少なくともオゾン発生手段を有する脱臭除菌装置を集塵室の内部に設置したものである。
【０００７】
これにより、オゾン発生で、集塵された塵埃全体の殺菌、分解脱臭を充分に行え、衛生的でかつ臭いの少ない電気掃除機が実現できる。
【０００８】
【発明の実施の形態】
請求項１に記載の発明は、塵埃を吸引する電動送風機と、吸引された塵埃を集める集塵室と、集塵室の内部に設置した、少なくともオゾン発生手段を有する脱臭除菌装置とを備えた電気掃除機としたことにより、サイクロン方式、ゴミ袋方式等、方式に関わらず、オゾン発生で、集塵された塵埃全体の殺菌、分解脱臭を充分に行え、衛生的でかつ臭いの少ない電気掃除機が実現できる。
【０００９】
請求項２に記載の発明は、集塵室が遠心力により塵埃を分離する遠心分離部と塵埃を蓄える蓄積部を有する請求項１に記載の電気掃除機としたことにより、オゾンにより、直接、塵埃全体の殺菌、分解脱臭を行うことができ、効果的である。
【００１０】
請求項３に記載の発明は、集塵室には塵埃を分離し貯蔵するゴミ袋を設置した請求項１に記載の電気掃除機としたことにより、ゴミ袋方式においても塵埃の殺菌、分解脱臭が行え、より衛生的である。
【００１１】
請求項４に記載の発明は、脱臭除菌装置はゴミ袋の内外の少なくとも一方側に配置した請求項３に記載の電気掃除機としたことにより、ゴミ袋での塵埃の殺菌、分解脱臭が行え、衛生的である。
【００１２】
請求項５に記載の発明は、脱臭除菌装置は掃除停止時にも動作可能とした請求項１〜４のいずれか１項に記載の電気掃除機としたことにより、掃除中のみならず、掃除停止時にも塵埃の殺菌、分解脱臭が行え、長時間にわたる殺菌、脱臭でより大きな効果が得られる。
【００１３】
請求項６に記載の発明は、掃除機本体の排気口にオゾン除去フィルタを設置した請求項１〜５のいずれか１項に記載の電気掃除機としたことにより、充分な塵埃の殺菌、脱臭が行え、かつ排気のオゾン濃度を低減できる。
【００１４】
請求項７に記載の発明は、電動送風機の排気を集塵室に還流するための還流空気通路を有し、この還流空気通路にオゾン除去フィルタを設置した請求項１〜６のいずれか１項に記載の電気掃除機としたことにより、充分な塵埃の殺菌、脱臭が行え、かつ運転再開時の排気のオゾン濃度を低減できる。
【００１５】
請求項８に記載の発明は、脱臭除菌装置はオゾンレスの殺菌紫外線ランプを有し、掃除運転中はこのオゾンレスの殺菌紫外線ランプのみを動作させる請求項１〜５のいずれか１項に記載の電気掃除機としたことにより、掃除運転中に充分な塵埃の殺菌、脱臭が行えるとともに、オゾンが排気され無い。
【００１６】
請求項９に記載の発明は、脱臭除菌装置を間欠運転するタイマ手段を有する請求項１〜８のいずれか１項に記載の電気掃除機としたことにより、脱臭除去装置の強度を制御することが可能になり、より効果的な殺菌、脱臭が行える。
【００１７】
【実施例】
以下、本発明の実施例について、図面を参照しながら説明する。
【００１８】
（実施例１）
図１〜図５は本発明の実施例１における電気掃除機を示す。
【００１９】
図１において、１は塵埃を吸引する電動送風機を内蔵した掃除機本体であり、吸込口２から吸引した床面３の塵埃を分離し貯える集塵部４を有している。集塵部４と吸込口２はホース５、延長管６を経由して連通している。
【００２０】
図２において、７は掃除機本体１に内蔵された電動送風機で、吸気口８、排気口９を有し、かつ吸排気のシールを兼ねたドーナツ状の前防振ゴム１０と後防振ゴム１１によって掃除機本体１内に支持されている。電動送風機７の排気口９の周囲空間には排気室１２が構成され、この排気室１２は、掃除機本体１内に設けられ、オゾン除去フィルタ１３を設置した本体排気口１４を通して掃除機本体１の外部に開口している。
【００２１】
集塵部４はサイクロン方式であり、吸引された塵埃を集める集塵室１５は、遠心力により塵埃を分離する遠心分離部１６と、塵埃を蓄える蓄積部１７を有するもので、遠心分離部１６と蓄積部１７はゴミ移送路１８を介して連通している。遠心分離部１６は、ほぼ円筒形状をしており、ホース５を連結する接続管１９を、図３に示すように、外壁２０の接線方向に挿入連結し、流入口２１を構成している。また、遠心分離部１６上面の中心部には、連結流路２２の一端が位置し、流出口２３として遠心分離部１６内部に開口している。連結流路２２の他端側には、電動送風機７の吸気口８と対峙した連通口２４が構成されている。この連結流路２２によって電動送風機７と遠心分離部１６が連通している。
【００２２】
２５は接続管１９に設けられた逆止弁であり、圧力差あるいは電動で開閉する。２６は排気室１２と遠心分離部１６を連通し、電動送風機７の排気を排気室１２から遠心分離部１６に還流させる還流路であり、内部にオゾン除去フィルタ２７を設置している。２８は還流路２６を開閉する電動で動作する開閉弁を示す。２９は本体排気口１４への流路を電動で開閉動作する排気開閉弁を示す。３０はオゾン発生手段で、オゾンを発生させる波長を有する紫外線すなわちオゾン線を発生するオゾン紫外線ランプ、あるいは高圧放電による電極タイプ等から構成されている。３１は殺菌作用のある波長の紫外線すなわち殺菌線を発生するオゾンレスの殺菌紫外線ランプを示す。そして、本実施例では、オゾン発生手段３０と殺菌紫外線ランプ３１の両者で脱臭除菌装置３２を構成し、集塵室１５の蓄積部１７内に設置されている。なお、オゾン発生手段３０単体のみで脱臭除菌装置３２を構成することも可能である。
【００２３】
３３は充電回路を有した充電池であり、タイマ手段を含んだ制御回路３４を介して、オゾン発生手段３０と殺菌紫外線ランプ３１に接続されている。これにより、脱臭除菌装置３２は、掃除中はもちろんのこと、掃除停止時にも動作可能となっている。
【００２４】
また、掃除運転中はこのオゾンレスの殺菌紫外線ランプ３１のみを動作させたり、タイマ手段により脱臭除菌装置３２を間欠運転することができるようになっている。３５は商用電源コード、３６は掃除機本体１の後輪、３７は前輪、３８は連通口２４に設けた微細塵埃捕捉用のフィルタ、３９は商用電源コード３５を接続するコンセントを示す。
【００２５】
次に動作を説明する。図２に示すように、排気開閉弁２９を開き、開閉弁２８を閉じた状態で電気掃除機を作動させると、電動送風機７の吸引力により、矢印４０に示すように塵埃を含んだ空気が吸引され、逆止弁２５は圧力差により開く。塵埃を含んだ空気が、流入口２１から遠心分離部１６に流入すると、そこで遠心力により塵埃４１が分離され、塵埃４１はゴミ移送路１８を通り蓄積部１７に貯まる。一方、塵埃４１が分離された空気は、流出口２３から連結流路２２を通過し電動送風機７の吸気口８に入り、排気口９から排気室１２へ流れ、本体排気口１４から外部に排気される。
【００２６】
電気掃除機を運転中、すなわち商用電源コード３５をコンセント３９に接続中は、商用電源から供給された電力で脱臭除菌装置３２、すなわちオゾン発生手段３０、殺菌紫外線ランプ３１が動作し、塵埃４１が貯まった蓄積部１７内を殺菌、脱臭する。発生したオゾンは、空気の流れと共に遠心分離部１６、排気室１２へと拡散するが、外部に排気される時にはオゾン除去フィルタ１３でオゾンが除去され、安全な濃度で外部に排気されることになる。
【００２７】
ここで、図４に示すように、掃除が終了し電気掃除機を休止した時、すなわち商用電源コード３５をコンセント３９から外して一定時間経過すると、あるいは手動でスイッチを入れると、逆止弁２５、排気開閉弁２９、開閉弁２８が閉じられ、オゾン発生手段３０、殺菌紫外線ランプ３１は充電池３３からの電力で動作する。このとき、電動送風機７が動作しないので空気流はなく、掃除機本体１内部は密閉状態になっているので、内部のオゾン濃度は蓄積部１７を中心に高濃度となり充分な殺菌、脱臭が行える。そして、所定時間経過後、タイマ手段の働きで脱臭除菌装置３２、すなわちオゾン発生手段３０、殺菌紫外線ランプ３１は動作が停止され、発生したオゾンは時間の経過と共に消滅し安全な濃度になる。
【００２８】
本実施例では、内部オゾン濃度が高い状態で電気掃除機を再使用する場合を考慮し、オゾン発生手段３０が動作停止後、短い経過時間で商用電源コード３５をコンセント３９に入れた場合は、図５に示すように、開閉弁２８が開き、排気開閉弁２９、逆止弁２５が閉じた状態で電動送風機７が運転され、矢印４０の様に環流路２６、連結流路２２を通って排気を循環させる。これにより、オゾンは環流路２６内のオゾン除去フィルタ２７によって急速に減少し、安全な濃度となる。オゾン濃度に関しては、オゾン発生手段３０の動作時間、停止時間、あるいは環流によりオゾン除去フィルタ２７を使用している時間等から予想することが可能であるが、別にオゾン濃度センサを設置して検知するようにすることもできる。
【００２９】
なお、開閉弁２８を有した環流路２６を、排気室１２から遠心分離部１６へ設けるだけでなく、蓄積部１７へも設けることにより、電気掃除機が停止し脱臭除菌装置３２が動作している際、電動送風機７を小さい出力で運転し、排気を蓄積部１７でも環流させれば、蓄積部１７の塵埃、すなわちゴミが撹拌され脱臭除菌装置３２が更に効果的に作用することとなる。
【００３０】
また、電動送風機７が運転しているか停止しているか、あるいは商用電源コード３５がコンセント３９につながっているかあるいは外されているか、あるいは開閉弁２８、排気開閉弁２９、逆止弁２５の開閉状態によって、オゾン発生手段３０、殺菌紫外線ランプ３１の動作強度を制御すれば、より効果的で安全な脱臭殺菌が行える。すなわち、掃除機使用状態では、殺菌紫外線ランプ３１のみを（あるいは主として）働かせ、停止後、開閉弁２８、排気開閉弁２９が閉じた状態では、オゾン発生手段３０のみを（あるいは主として）動作させることも可能である。
【００３１】
さらに、商用電源コード３５をコンセント３８に差し込んだ状態で、長時間、電気掃除機の運転を停止するときには、手動のスイッチの操作により、商用電源から電力を供給しながらオゾン発生手段３０、殺菌紫外線ランプ３１を強力に長時間動作させることにより、強力な殺菌、脱臭効果を得ることもできる。
【００３２】
オゾン発生手段３０、殺菌紫外線ランプ３１の主な運転モードの組み合わせについて（表１）にまとめた。
【００３３】
【表１】
2004113469.tif 000003
【００３４】
パターンＡは、掃除機運転中は殺菌紫外線ランプ３１を使い、掃除機停止中はオゾン発生手段３０を使用する方法であり、掃除機停止中は、掃除機本体を密閉状態にすることでオゾンが外部に排気されることは無い。
【００３５】
パターンＢは、掃除機停止中に殺菌紫外線ランプ３１も運転する方法であり、パターンＡよりさらに優れた殺菌性能が期待できる。
【００３６】
パターンＣは、オゾン発生手段３０、殺菌紫外線ランプ３１を運転中も停止中にも使用する方法であり、運転中はオゾンが排気されるため、排気のオゾン濃度によってオゾン除去フィルタ等が必要になる場合がある。
【００３７】
パターンＤは、殺菌紫外線ランプ３１のみを使用する例であり、脱臭効果は劣るがオゾンは発生しない。
【００３８】
パターンＥは、オゾン発生手段３０のみを使用する場合であり、脱臭効果は大きいが、運転中オゾンが排気されるので、その濃度によってはオゾン除去フィルタ等の設置が必要になる。
【００３９】
パターンＦ、Ｇは、掃除機運転中にのみオゾン発生手段３０、あるいは殺菌紫外線ランプ３１を運転する場合であり、充電池などが必要でなくなる。
【００４０】
パターンＨ、Ｉは、逆に掃除機停止中にのみオゾン発生手段３０、あるいは殺菌紫外線ランプ３１を動作させる例であり、オゾンが排気されることが無く、回路構成も簡単になる。
【００４１】
これらのパターンＡ〜Ｉは一例であり、オゾン発生手段３０、殺菌紫外線ランプ３１の強度の制御を含めれば、なお多くのパターンが考えられ、その効果もそれぞれに期待できる。
【００４２】
脱臭除菌装置３２としては、オゾン発生手段３０、殺菌紫外線ランプ３１の両者で構成した例を記述したが、（表１）のパターンの組み合わせからもわかるように、どちらか一方でも可能である。本実施例では、脱臭除菌装置３２として、少なくともオゾン発生手段３０を有するものとすることにより、オゾンにより塵埃の殺菌、脱臭を行うようにしている。
【００４３】
また、オゾン発生手段３０として、オゾン紫外線ランプを用いると、同一の紫外線ランプでオゾン線、殺菌線を放射させることもできるので、オゾン紫外線ランプと殺菌紫外線ランプ３１を一本の紫外線ランプに集約することも可能である。ただし、集約した方式では、オゾン紫外線ランプと殺菌紫外線ランプ３１の強度を独立して制御することはできない。
【００４４】
（実施例２）
次に、本発明の実施例２における電気掃除機について、図６〜図８を参照して説明する。実施例１と同一部分には同一符号を付して説明を省略し、相違点を中心に説明する。
【００４５】
本実施例における電気掃除機は、使い捨てのゴミ袋方式を採用したものであり、集塵室１５に設置した、塵埃を分離し貯蔵するゴミ袋４５は、入り口孔４６を有した取付け板４７に紙袋４８を取り付けた構成である（図８に最もよく示されている）。このゴミ袋４５は、集塵室１５に設けた支持部４９に取付け板４７を着脱自在に取り付けることにより、集塵室１５内に設置される。このとき、ゴミ袋４５の入り口孔４６はホース５を取り付ける接続管１９と弾性体のシール材５０を介して連通接続される。
【００４６】
５１は入り口孔４６に取り付けた逆止弁を示す。５２は集塵室１５と電動送風機７を内包するモータ室５３を仕切る仕切り板であり、中央に連通孔５４を有している。電動送風機７は、吸排気のシールを兼ねた円筒形の前防振ゴム１０によって、吸気口８が連通孔５４と対峙し掃除機本体１の仕切り板５２に支持されている。電動送風機７の排気口９の周りは、防音筒５５となっている。５６は防音筒排気口を示す。
【００４７】
そして、脱臭除菌装置３２、すなわちオゾン発生手段３０、殺菌紫外線ランプ３１は、共に集塵室１５の内部でゴミ袋４５の外側に設置されている。
【００４８】
次に動作について説明する。吸引された塵埃は、紙袋４８のフィルタとしての作用により、清浄な気流と塵埃に分離され、塵埃はゴミ袋４５内に蓄積され、清浄な空気は電動送風機７を通過し、防音筒排気口５６、排気室１２、本体排気口１４を通り外部空間に排気される。掃除中、すなわち電気掃除機を運転中は、オゾン発生手段３０、殺菌紫外線ランプ３１は共に動作し、ゴミ袋４５を通過した微塵埃に混入した菌類などを除菌し、また排気の脱臭も行う。特に、一部ゴミ袋４５の外部へ抜けてきた菌糸類等にもその効果が大きく、一度集塵した塵埃から菌類が外部に排気されることを防止する。流れる風量が大きく、また本体排気口１４にはオゾン除去フィルタ１３が設置されているため、外部に高濃度なオゾンが排出されることは無い。
【００４９】
掃除が終了し、運転停止、すなわちコンセント３９から電源コード３４を取り外しても、充電池３３に貯えられた電気エネルギにより、一定時間、オゾン発生手段３０、殺菌紫外線ランプ３１は動作を続ける。このとき、逆止弁５１、排気開閉弁２９を閉じておけば、掃除機本体１内部はほぼ密閉の空間となり、発生したオゾンは外部に漏出せず、掃除機本体１の内部は高いオゾン濃度が実現でき殺菌はもちろんのこと、脱臭も充分に行える。オゾンは紙袋４８内部にも浸透し、紙袋４８の内部の殺菌、脱臭も行える。
【００５０】
またオゾン発生手段３０、殺菌紫外線ランプ３１の働きにより、紙袋４８表面の除菌が可能になり、紙袋４８の表面に伸び出した菌糸類の除菌にも有効である。
【００５１】
運転を再開するときは、図７に示すように、逆止弁５１、排気開閉弁２９を閉じた状態で、還流路２６の開閉弁２８を開き、電動送風機７を運転する。これにより、矢印４０で示すように、掃除機本体１の内部の空気をオゾン除去フィルタ２７に通過させながら還流すれば、短時間で掃除機本体１の内部のオゾン濃度は安全なレベルまで下げることができる。
【００５２】
オゾン発生手段３０、殺菌紫外線ランプ３１の主な運転モードの組み合わせに関しては、実施例１と同様である。また、ゴミ袋４５は通気性があるため、オゾンがゴミ袋４５の内部に拡散し、充分な殺菌、脱臭効果を得ることができ、かつゴミ袋４５の外部表面の除菌にも効果的である。
【００５３】
（実施例３）
次に、本発明の実施例３における電気掃除機について、図９〜図１１を参照して説明する。実施例１、２と同一部分には同一符号を付して説明を省略し、相違点を中心に説明する。
【００５４】
本実施例においては、脱臭除菌装置３２の一部をゴミ袋４５の支持部にも設置しており、ゴミ袋４５内部の塵埃に対しての殺菌、脱臭効果をより良くしているものである。
【００５５】
図において、６０はホース５の接続管１２と一体に構成されているゴミ袋支持部であり、ゴミ袋４５の取付け板４７を着脱自在に取付けることにより、ゴミ袋４５を集塵室１５内に設置する。リング形の弾性体のシール材５０は、一端が接続管１２の周囲の鍔部６１端面に固着されており、他端はゴミ袋４５の取付時に取付け板４７の端面と接することにより、ゴミ袋４５の入り口孔４６と接続管１２との間をシールしている。６２は接続管１２に取り付けられた逆止弁を示す。
【００５６】
そして、オゾン発生手段３０は、本実施例ではオゾン紫外線ランプで円弧状に構成されており、鍔部６１の端面でかつリング形のシール材５０の内側に取り付けられている。すなわち、オゾン発生手段３０は、ゴミ袋４５の取付時に、ゴミ袋４５の入り口孔４６内に位置し、内部を照射可能な構成となっている。一方、殺菌紫外線ランプ３１はゴミ袋４５の外側で集塵室１５内に設置されている。
【００５７】
次に動作について説明する。実施例２と同様に吸引された塵埃は、紙袋４８のフィルタとしての作用により清浄な気流と塵埃に分離され、塵埃はゴミ袋４５内に蓄積され、清浄な空気は電動送風機７を通過し、防音筒排気口５６、排気室１２、本体排気口１４を通り外部空間に排気される。運転中もオゾン発生手段３０は動作しており、ゴミ袋４５内に蓄積された塵埃に対して直に殺菌、脱臭を行う。同時にゴミ袋４５の外部に設置された殺菌紫外線ランプ３１はゴミ袋４５表面に伸び出した菌糸類の除菌を行う。電気掃除機が休止中、すなわちコンセント３９を外した状態でも充電池３３に貯えられた電気エネルギにより、一定時間、オゾン発生手段３０、殺菌紫外線ランプ３１は動作を続け、このとき逆止弁６２、排気開閉弁２９を閉じておけば、掃除機本体１内部はほぼ密閉の空間となり、発生したオゾンは外部に漏出せず、掃除機本体１の内部は高いオゾン濃度が実現でき殺菌はもちろんのこと、脱臭も充分行える。
【００５８】
運転を再開するときは、図１１に示すように、逆止弁６２、排気開閉弁２９が閉じた状態で還流路２６の開閉弁２８を開き、電動送風機７を運転する。これにより、矢印４０に示すように、掃除機本体１の内部の空気がオゾン除去フィルタ２７を通過させながら還流することができ、短時間で掃除機本体１の内部のオゾン濃度は安全なレベルまで下げることができる。
【００５９】
（実施例４）
次に、本発明の実施例４における電気掃除機について、図１２、図１３を参照して説明する。実施例３と同一部分には同一符号を付して説明を省略し、相違点を中心に説明する。
【００６０】
本実施例においては、脱臭除菌装置３２を構成するオゾン発生手段３０と殺菌紫外線ランプ３１を共に、ゴミ袋４５の外側と、ゴミ袋４５の支持部にも設置しており、ゴミ袋４５の塵埃に対しての殺菌、脱臭効果をより良くしているものである。
【００６１】
２箇所のオゾン発生手段３０のうち、少なくともゴミ袋４５の支持部に設置されるオゾン発生手段３０は、本実施例ではオゾン紫外線ランプで構成されている。また、このオゾン紫外線ランプと殺菌紫外線ランプ３１とは半円弧状に構成されており、接続管１２周囲の鍔部６１の端面で、かつリング形のシール材５０の内側に向かい合わせにして取り付けられている。そしてまた、オゾン発生手段３０、殺菌紫外線ランプ３１は、先述したように、集塵室１５内でゴミ袋４５の外側にも設置されている。したがって、ゴミ袋４５の内部、外部ともに強力に殺菌、脱臭が行える。
【００６２】
他の構成および動作については、実施例３と同様であるので、説明を省略するが、同様の効果を得ることができる。
【００６３】
【発明の効果】
以上のように、本発明の電気掃除機は、少なくともオゾン発生手段を有する脱臭除菌装置を集塵室の内部に設置したものであり、オゾン発生で、集塵された塵埃全体の殺菌、分解脱臭を充分に行え、衛生的でかつ臭いの少ない電気掃除機が実現できる。
【図面の簡単な説明】
【図１】本発明の実施例１〜４における電気掃除機の全体構成図
【図２】本発明の実施例１における電気掃除機の運転時の断面図
【図３】図２におけるＡ―Ａ断面図
【図４】同電気掃除機の停止時の断面図
【図５】同電気掃除機の運転再開直後の断面図
【図６】本発明の実施例２における電気掃除機の運転時の断面図
【図７】同電気掃除機の運転再開直後の断面図
【図８】同電気掃除機に用いたゴミ袋を一部破断して示した斜視図
【図９】本発明の実施例３における電気掃除機の運転時の断面図
【図１０】図９におけるＡ―Ａ断面図
【図１１】同電気掃除機の運転再開直後の断面図
【図１２】本発明の実施例４における電気掃除機の運転時の断面図
【図１３】図１２におけるＡ―Ａ断面図
【符号の説明】
１　掃除機本体
２　吸込口
４　集塵部
７　電動送風機
１５　集塵室
２６　還流路
２７　オゾン除去フィルタ
３０　オゾン発生手段
３１　殺菌紫外線ランプ
３２　脱臭除菌装置
３４　制御回路
４５　ゴミ袋
【図１】
2004113469.tif 000004
【図２】
2004113469.tif 000005
【図３】
2004113469.tif 000006
【図４】
2004113469.tif 000007
【図５】
2004113469.tif 000008
【図６】
2004113469.tif 000009
【図７】
2004113469.tif 000010
【図８】
2004113469.tif 000011
【図９】
2004113469.tif 000012
【図１０】
2004113469.tif 000013
【図１１】
2004113469.tif 000014
【図１２】
2004113469.tif 000015
【図１３】
2004113469.tif 000016